(57)【要約】【課題】テレビ部に対して着脱可能な一対のスピーカ部から出力される音声の干渉を抑制可能な技術を提供することを目的とする。【解決手段】テレビジョン受信装置は、テレビ部１０１と、テレビ部１０１に対して着脱可能な一対のスピーカ部１０２とを備えている。テレビ部１０１は、テレビ本体１０３と、スピーカ接続部１０５と、着脱検出部１０６と、音声送信部１０７と、電池充電部１０４とを備えている。一対のスピーカ部１０２は、音声受信部１１１と、スピーカ１０９と、充電電池１０８とを備えている。着脱検出部１０６は、一対のスピーカ部１０２が共にスピーカ接続部１０５から取り外されていることを検出したとき、各スピーカ１０９から出力される音声はステレオ音声に切り替えられ、一対のスピーカ部１０２の一方がスピーカ接続部１０５から取り外されていることを検出したとき、各スピーカ１０９から出力される音声はモノラル音声に切り替えられる。【選択図】図１
2019125977.tif 000002
【特許請求の範囲】
【請求項１】
放送波を受信して前記放送波に含まれる映像を出力するテレビ部と、
前記放送波に含まれる音声を出力し、かつ、前記テレビ部に対して着脱可能な一対のスピーカ部と、
を備え、
前記テレビ部は、音声信号を出力するテレビ本体と、前記テレビ本体と一対の前記スピーカ部とを接続可能なスピーカ接続部と、前記スピーカ接続部の接続状態を検出する着脱検出部と、前記テレビ本体から一対の前記スピーカ部に前記音声信号を送信可能な音声送信部と、一対の前記スピーカ部に電源電圧を供給可能な電池充電部とを備え、
一対の前記スピーカ部は、前記音声送信部から送信された前記音声信号を受信する音声受信部と、前記音声受信部で受信された前記音声信号を音声として出力するスピーカと、前記電池充電部から供給された前記電源電圧を充電する充電電池とを備え、
前記着脱検出部は、一対の前記スピーカ部が共に前記スピーカ接続部から取り外されていることを検出したとき、各前記スピーカから出力される音声はステレオ音声に切り替えられ、一対の前記スピーカ部の一方が前記スピーカ接続部から取り外されていることを検出したとき、各前記スピーカから出力される音声はモノラル音声に切り替えられる、テレビジョン受信装置。
【請求項２】
一対の前記スピーカ部が前記テレビ部に装着された状態で、前記テレビ部の前記電池充電部と前記スピーカ部の前記充電電池は前記スピーカ接続部を介して接続され、かつ、前記テレビ部の前記テレビ本体と一対の前記スピーカ部の各前記スピーカは前記スピーカ接続部を介して接続される、請求項１記載のテレビジョン受信装置。
【請求項３】
前記テレビ部は、前記放送波を復調する復調部と、復調された放送波を映像信号と音声信号とに分離する多重分離部と、分離された前記音声信号をデコードする音声デコード部と、デコードされた音声信号を増幅する音声増幅部とをさらに備える、請求項１または請求項２記載のテレビジョン受信装置。
【請求項４】
放送波を受信して前記放送波に含まれる映像を出力するテレビ部とでテレビジョン受信装置を構成するスピーカ装置であって、
前記スピーカ装置は一対のスピーカ部を備え、
前記テレビ部は、音声信号を出力するテレビ本体と、前記テレビ本体と一対の前記スピーカ部とを接続可能なスピーカ接続部と、前記スピーカ接続部の接続状態を検出する着脱検出部と、前記テレビ本体から一対の前記スピーカ部に前記音声信号を送信可能な音声送信部と、一対の前記スピーカ部に電源電圧を供給可能な電池充電部とを備え、
一対の前記スピーカ部は、前記音声送信部から送信された前記音声信号を受信する音声受信部と、前記音声受信部で受信された前記音声信号を音声として出力するスピーカと、前記電池充電部から供給された前記電源電圧を充電する充電電池とを備え、
前記着脱検出部は、一対の前記スピーカ部が共に前記スピーカ接続部から取り外されていることを検出したとき、各前記スピーカから出力される音声はステレオ音声に切り替えられ、一対の前記スピーカ部の一方が前記スピーカ接続部から取り外されていることを検出したとき、各前記スピーカから出力される音声はモノラル音声に切り替えられる、スピーカ装置。
【発明の詳細な説明】
【技術分野】
【０００１】
本発明は、液晶ディスプレイまたは有機ＥＬディスプレイなどからなる映像表示部を備えたテレビジョン受信装置に関して、特に、スピーカ部を着脱可能とする技術に関するものである。
【背景技術】
【０００２】
液晶ディスプレイまたは有機ＥＬディスプレイなどからなる薄型の映像表示部を備えた薄型テレビジョン受信装置が一般的に普及している。
【０００３】
従来のテレビジョン受信装置では、例えば、テレビジョン受信装置の左右の側面に開口部とその内側に設けられたリブが外部スピーカの電極端子を挟み込むことによって、外部スピーカを取り付けるようにしたものがある(例えば、特許文献１参照）。
【０００４】
また、テレビジョン受信装置の筐体の下端部にＴ字状の係合部を設け、スピーカボックスの上端部に設けられた逆Ｔ字状の嵌合溝に係合部を嵌装可能とすることで筐体に対してスピーカ部を着脱可能に構成し、スピーカ部を取り外してワイヤレスで音声を聴くことを可能にしたものがある(例えば、特許文献２参照）。
【先行技術文献】
【特許文献】
【０００５】
【特許文献１】特許第４７６１５６１号公報
【特許文献２】特開２００８−２４４９３２号公報
【発明の概要】
【発明が解決しようとする課題】
【０００６】
しかしながら、特許文献１，２に記載の技術では、一対のスピーカ部の一方のみが取り外される場合については想定されていない。そのため、一対のスピーカ部の一方が取り外されてテレビジョン受信装置から離れた位置に置かれて、他方がテレビジョン受信装置に装着されたままの場合に一対のスピーカ部から出力される音声が干渉する場合がある。
【０００７】
そこで、本発明は、テレビ部に対して着脱可能な一対のスピーカ部から出力される音声の干渉を抑制可能な技術を提供することを目的とする。
【課題を解決するための手段】
【０００８】
本発明に係るテレビジョン受信装置は、放送波を受信して前記放送波に含まれる映像を出力するテレビ部と、前記放送波に含まれる音声を出力し、かつ、前記テレビ部に対して着脱可能な一対のスピーカ部とを備え、前記テレビ部は、音声信号を出力するテレビ本体と、前記テレビ本体と一対の前記スピーカ部とを接続可能なスピーカ接続部と、前記スピーカ接続部の接続状態を検出する着脱検出部と、前記テレビ本体から一対の前記スピーカ部に前記音声信号を送信可能な音声送信部と、一対の前記スピーカ部に電源電圧を供給可能な電池充電部とを備え、一対の前記スピーカ部は、前記音声送信部から送信された前記音声信号を受信する音声受信部と、前記音声受信部で受信された前記音声信号を音声として出力するスピーカと、前記電池充電部から供給された前記電源電圧を充電する充電電池とを備え、前記着脱検出部は、一対の前記スピーカ部が共に前記スピーカ接続部から取り外されていることを検出したとき、各前記スピーカから出力される音声はステレオ音声に切り替えられ、一対の前記スピーカ部の一方が前記スピーカ接続部から取り外されていることを検出したとき、各前記スピーカから出力される音声はモノラル音声に切り替えられる。
【発明の効果】
【０００９】
本発明によれば、着脱検出部は、一対のスピーカ部が共にスピーカ接続部から取り外されていることを検出したとき、各スピーカから出力される音声はステレオ音声に切り替えられ、一対のスピーカ部の一方がスピーカ接続部から取り外されていることを検出したとき、各スピーカから出力される音声はモノラル音声に切り替えられる。
【００１０】
したがって、一対のスピーカ部の一方が取り外されてテレビジョン受信装置から離れた位置に置かれ、他方がテレビジョン受信装置に装着されたままの場合に、一対のスピーカ部から出力される音声が干渉することを抑制できる。
【図面の簡単な説明】
【００１１】
【図１】実施の形態に係るテレビジョン受信装置の概略構成を示すブロック図である。
【図２】テレビジョン受信装置の詳細な構成を示すブロック図である。
【図３】一対のスピーカ部が装着された状態のテレビジョン受信装置の斜視図である。
【図４】一対のスピーカ部が取り外されて横置きされた状態のテレビジョン受信装置の斜視図である。
【図５】一対のスピーカ部が取り外されて縦置きされた状態のテレビジョン受信装置の斜視図である。
【図６】一対のスピーカ部の一方が取り外されて縦置きされた状態のテレビジョン受信装置の斜視図である。
【図７】テレビジョン受信装置の側面図である。
【図８】テレビジョン受信装置の側面図のスピーカ部周辺の拡大図である。
【図９】テレビジョン受信装置の側面図のスピーカ部周辺の拡大図である。
【図１０】テレビジョン受信装置のテレビ部とスピーカ部の内部の電気配線を示す図である。
【発明を実施するための形態】
【００１２】
＜実施の形態＞
本発明の実施の形態について、図面を用いて以下に説明する。図１は、実施の形態に係るテレビジョン受信装置の概略構成を示すブロック図である。図２は、テレビジョン受信装置の詳細な構成を示すブロック図である。
【００１３】
最初に、テレビジョン受信装置の概略構成について説明する。図１に示すように、テレビジョン受信装置は、テレビ部１０１および、スピーカ装置としての一対のスピーカ部１０２を備えている。なお、図１と図２では図面を簡略化するためにスピーカ部１０２は１つのみ示されている。テレビ部１０１は、放送波を受信して放送波に含まれる映像を出力する。一対のスピーカ部１０２は、テレビ部１０１に対して着脱可能であり、放送波に含まれる音声を出力する。
【００１４】
テレビ部１０１は、テレビ本体１０３、電池充電部１０４、スピーカ接続部１０５、着脱検出部１０６、および音声送信部１０７を備えている。スピーカ部１０２は、充電電池１０８、スピーカ１０９、音声増幅部１１０、および音声受信部１１１を備えている。
【００１５】
テレビ本体１０３は、概略的には、従来のテレビジョン受信装置からスピーカを除いた構成を備えており、放送波を受信して、映像と音声を出力する。電池充電部１０４は、一対のスピーカ部１０２に電源電圧を供給可能である。スピーカ接続部１０５は、一対のスピーカ部１０２を接続可能である。着脱検出部１０６は、スピーカ接続部１０５の接続状態を検出する。音声送信部１０７は、一対のスピーカ部１０２に音声信号を送信可能である。
【００１６】
着脱検出部１０６は、スピーカ接続部１０５の接続状態を検出し、取り外されていることを検出したとき、これを音声送信部１０７に伝える。そして音声送信部１０７は、テレビ本体１０３から出力された音声信号を無線でスピーカ部１０２の音声受信部１１１へ送信する。
【００１７】
着脱検出部１０６は、スピーカ部１０２がスピーカ接続部１０５に接続されていることを検出したとき、これを音声送信部１０７に伝える。スピーカ部１０２がテレビ部１０１に装着された状態、つまり、スピーカ部１０２がスピーカ接続部１０５に接続された状態では、スピーカ部１０２のスピーカ１０９は、スピーカ接続部１０５を介してテレビ本体１０３と接続されている。すなわち、スピーカ１０９は、有線でテレビ本体１０３と接続されている。そのため、音声送信部１０７は無線で音声信号の送信を行わず、テレビ本体１０３から出力された音声信号は、スピーカ接続部１０５を介してスピーカ部１０２のスピーカ１０９に伝送される。これにより、スピーカ１０９から音声を高音質で出力することができる。
【００１８】
スピーカ部１０２がスピーカ接続部１０５に接続された状態では、電池充電部１０４は、充電電池１０８に接続されるため、充電電池１０８に電源電圧を供給し充電することができる。これにより、スピーカ部１０２がテレビ部１０１から取り外された場合は、自動的に音声信号の無線伝送と、充電電池１０８からスピーカ部１０２の各部への電源電圧の供給とを行われることで、使用者は、テレビ部１０１からスピーカ部１０２を取り外した状態でも音声を聴くことができる。
【００１９】
次に、テレビジョン受信装置の詳細な構成について説明する。図２に示すように、テレビ部１０１は、アンテナ１０１９、チューナ部１００１、復調部１００３、多重分離部１００４、映像デコード部１００５、映像表示部１００６、受光部１００７、制御部１００８、音声デコード部１００９、音声増幅部１０１０、リモコン１０１１、電源回路１０１２、充電回路１０１３、音声送信部１０７、着脱検出センサ１０１５、およびコネクタ８０１ａ，８０２ａを備えている。
【００２０】
図１に示したテレビ本体１０３は、アンテナ１０１９、チューナ部１００１、復調部１００３、多重分離部１００４、映像デコード部１００５、映像表示部１００６、受光部１００７、制御部１００８、音声デコード部１００９、音声増幅部１０１０、リモコン１０１１、および電源回路１０１２により構成されている。
【００２１】
アンテナ１０１９で受信された放送波はチューナ部１００１を介して復調部１００３に入力される。復調部１００３は、入力された放送波を復調し、多重分離部１００４に出力する。多重分離部１００４は、復調された放送波を映像信号と音声信号とに分離し、映像信号を映像デコード部１００５に出力し、音声信号を音声デコード部１００９に出力する。映像デコード部１００５は、映像信号をデコードし映像表示部１００６に出力する。映像表示部１００６は、液晶ディスプレイまたは有機ＥＬディスプレイからなり、デコードされた映像信号に基づいて映像を表示する。
【００２２】
音声デコード部１００９は、音声信号をデコードし、その出力先が音声増幅部１０１０および音声送信部１０７のいずれかに選択的に切り替えられる。音声増幅部１０１０は、デコードされた音声信号をコネクタ８０２ａ，８０２ｂを介してスピーカ１０９に出力する。
【００２３】
スピーカ部１０２は、充電電池１０８、スピーカ１０９、音声増幅部１１０、音声受信部１１１、およびコネクタ８０１ｂ，８０２ｂを備えている。
【００２４】
コネクタ８０１ａとコネクタ８０１ｂが接続され、かつ、コネクタ８０２ａとコネクタ８０２ｂが接続されることで、テレビ部１０１に対してスピーカ部１０２が装着される。これにより、電源回路１０１２から供給される電源電圧が充電回路１０１３からコネクタ８０１ａ，８０１ｂを介して充電電池１０８に供給される。また、音声増幅部１０１０とスピーカ１０９がコネクタ８０２ａ，８０２ｂを介して有線で接続される。
【００２５】
着脱検出センサ１０１５は、コネクタ８０１ａ，８０１ｂおよびコネクタ８０２ａ，８０２ｂの接続状態を検出する。
【００２６】
コネクタ８０１ａとコネクタ８０１ｂが接続され、かつ、コネクタ８０２ａとコネクタ８０２ｂが接続されている状態では、着脱検出センサ１０１５は、音声デコード部１００９の出力を音声増幅部１０１０に切り替え、かつ、スピーカ１０９の入力をコネクタ８０２ｂに切り替える。音声デコード部１００９でデコードされた音声信号は、音声増幅部１０１０にて増幅された後、コネクタ８０２ａ，８０２ｂを介してスピーカ１０９に出力される。
【００２７】
他方、コネクタ８０１ａとコネクタ８０１ｂが接続されていない状態、またはコネクタ８０２ａとコネクタ８０２ｂが接続されていない状態では、着脱検出センサ１０１５は、音声デコード部１００９の出力を音声送信部１０７に切り替え、かつ、スピーカ１０９の入力を音声増幅部１１０に切り替える。音声デコード部１００９でデコードされた音声信号は、音声送信部１０７から送信される。音声受信部１１１で受信された音声信号は、音声増幅部１１０にて増幅された後、スピーカ１０９に出力される。なお、着脱検出センサ１０１５は、音声デコード部１００９の出力とスピーカ１０９の入力の切り替えを、例えば無線で行う。
【００２８】
ここで、図１と図２に示すように、電池充電部１０４は、充電回路１０１３により構成されている。スピーカ接続部１０５は、テレビ部１０１に設けられたコネクタ８０１ａ，８０１ｂ、およびスピーカ部１０２に設けられた８０２ａ，８０２ｂにより構成されている。着脱検出部１０６は、着脱検出センサ１０１５により構成されている。
【００２９】
次に、テレビジョン受信装置の視聴方法について説明する。図３は、一対のスピーカ部１０２ａ，１０２ｂが装着された状態のテレビジョン受信装置の斜視図である。図３に示すように、左右のスピーカ部１０２ａ，１０２ｂは、テレビ部１０１の左側部分および右側部分の下端部に装着されている。通常、テレビジョン受信装置はテレビ台２０１の上面に置かれ、リビングにはダイニングテーブル２０２が配置されている。使用者は、ダイニングテーブル２０２の周辺の椅子に座って、テレビジョン受信装置を視聴する。
【００３０】
図４は、一対のスピーカ部１０２ａ，１０２ｂが取り外されて横置きされた状態のテレビジョン受信装置の斜視図である。図４に示すように、左右のスピーカ部１０２ａ，１０２ｂは取り外され、使用者は、ダイニングテーブル２０２の上面に左右のスピーカ部１０２ａ、１０３ｂを置き、テレビジョン受信装置から離れた場所で音声を聴くことで、大音量にしなくても、テレビジョン受信装置を視聴することができる。これにより、同じ家にいる他の人に迷惑をかけることを抑制できる。このとき、左右のスピーカ部１０２ａ，１０２ｂから出力される音声はステレオとなる。
【００３１】
図５は、一対のスピーカ部１０２ａ，１０２ｂが取り外されて縦置きされた状態のテレビジョン受信装置の斜視図である。図５に示すように、テレビジョン受信装置の視聴形態に合わせて、左右のスピーカ部１０２ａ，１０２ｂの配置方法を変更することができる。このとき、左右のスピーカ部１０２ａ，１０２ｂから出力される音声はステレオとなる。
【００３２】
図６は、一対のスピーカ部１０２a，１０２ｂの一方が取り外されて縦置きされた状態のテレビジョン受信装置の斜視図である。図６に示すように、左右のスピーカ部１０２a，１０２ｂのうちの右のスピーカ部１０２ｂを取り外して、ダイニングテーブル２０２の上面に置いたものである、この場合、着脱検出部１０６が左右のスピーカ部１０２a，１０２ｂの一方のみが取り外された状態であることを検出し、音声出力をステレオからモノラルに切り替える。
【００３３】
具体的には、音声送信部１０７は、ステレオ音声の左右の音声を合成してモノラル音声として、左右のスピーカ部１０２ａ，１０２ｂの音声受信部１１１へ無線で送信する。これにより、テレビ部１０１に装着されたスピーカ部１０２aと、離れたダイニングテーブル２０２の上面に置かれたスピーカ部１０２ｂの音声が干渉することを抑制できる。
【００３４】
次に、スピーカ部１０２をテレビ部１０１に装着するための構造について説明する。図７は、テレビジョン受信装置の側面図である。図８は、テレビジョン受信装置の側面図のスピーカ部１０２周辺の拡大図である。図９は、テレビジョン受信装置の側面図のスピーカ部１０２周辺の拡大図である。図１０は、テレビジョン受信装置のテレビ部１０１とスピーカ部１０２の内部の電気配線を示す図である。
【００３５】
図７〜図９に示すように、スピーカ部１０２は、テレビ部１０１の左側部分および右側部分の下端にコネクタ８０１a，８０１ｂおよびコネクタ８０２a，８０２ｂを介して装着されている。コネクタ８０１a，８０１ｂの接続と、コネクタ８０２a，８０２ｂの接続を解除するためにスピーカ部１０２を下方に引き抜くことで、スピーカ部１０２は取り外し可能となっている。
【００３６】
図１０に示すように、テレビ部１０１の内部に基板９０２が配置され、基板９０２は、コネクタ８０１a，８０１ｂを介してスピーカ部１０２に配線されている。着脱検出センサ１０１５は、コネクタ８０１a，８０１ｂの接続状態と、コネクタ８０２a，８０２ｂの接続状態を検出している。スピーカ部１０２の内部には基板９０５が配置され、コネクタ８０１ｂから基板９０５を経由してスピーカ１０９に配線されている。すなわち、スピーカ１０９は、コネクタ８０２a，８０２ｂを介して、基板９０２に搭載された音声増幅部１０１０（図２参照）に接続されている。また、基板９０５の電源電圧は、充電電池１０８から供給される。充電電池１０８は、コネクタ８０１a，８０１ｂを介して、基板９０２に搭載された充電回路１０１３（図２参照）から供給された電源電圧を充電する。
【００３７】
以上のように、実施の形態に係るテレビジョン受信装置では、着脱検出部１０６は、一対のスピーカ部１０２が共にスピーカ接続部１０５から取り外されていることを検出したとき、各スピーカ１０９から出力される音声はステレオ音声に切り替えられ、一対のスピーカ部１０２の一方がスピーカ接続部１０５から取り外されていることを検出したとき、各スピーカ１０９から出力される音声はモノラル音声に切り替えられる。
【００３８】
したがって、一対のスピーカ部１０２の一方が取り外されてテレビジョン受信装置から離れた位置に置かれ、他方がテレビジョン受信装置に装着されたままの場合に、一対のスピーカ部１０２から出力される音声が干渉することを抑制できる。
【００３９】
使用者は、テレビ部１０１にスピーカ部１０２を装着した状態で視聴するにとどまらず、スピーカ部１０２を取り外してテーブルの上に置くなどして、テレビ部１０１から離れた場所でスピーカ部１０２の近くで音声を聴くことができるため、難聴となった高齢者などは、音声を明瞭に聴くことができ、周りの人たちに不快感を及ぼすような大音響にしなくても視聴が可能である。
【００４０】
また、スピーカ部１０２は充電電池１０８を内蔵しているため、ワイヤレスで、どこにでも持ち運べるため、生活のパターンに対応してスピーカ部１０２の配置を変えることができるという効果がある。
【００４１】
また、テレビ部１０１にスピーカ部１０２を装着すると、充電電池１０８に充電することができ、有線で高音質のステレオ音声で視聴できるという効果がある。
【００４２】
また、一対のスピーカ部１０２の一方を取り外すと、音声は自動的にモノラル音声になり、２つの離れたスピーカ部１０２a，１０２ｂから出力される音声の干渉による違和感を抑制できるという効果がある。
【００４３】
一対のスピーカ部１０２がテレビ部１０１に装着された状態で、テレビ部１０１の電池充電部１０４とスピーカ部１０２の充電電池１０８はスピーカ接続部１０５を介して接続され、かつ、テレビ部１０１のテレビ本体１０３と一対のスピーカ部１０２の各スピーカ１０９はスピーカ接続部１０５を介して接続される。
【００４４】
したがって、スピーカ接続部１０５により、テレビ部１０１に対する一対のスピーカ部１０２の装着と、テレビ部１０１のテレビ本体１０３と一対のスピーカ部１０２の各スピーカ１０９との接続を一度で行うことができる。また、テレビ部１０１に対して一対のスピーカ部１０２を自由に着脱可能な構造を簡単な構造で実現することができる。
【００４５】
テレビ部１０１は、放送波を復調する復調部１００３と、復調された放送波を映像信号と音声信号とに分離する多重分離部１００４と、分離された音声信号をデコードする音声デコード部１００９と、デコードされた音声信号を増幅する音声増幅部１０１０とをさらに備える。
【００４６】
したがって、一対のスピーカ部１０２の装着時、および一対のスピーカ部１０２が共に取り外されたときは、高音質なステレオ音声で視聴することができる。
【００４７】
なお、本発明は、その発明の範囲内において、実施の形態を適宜、変形、省略することが可能である。
【符号の説明】
【００４８】
１０１  テレビ部、１０２  スピーカ部、１０４  電池充電部、１０５  スピーカ接続部、１０６  着脱検出部、１０７  音声送信部、１０８  充電電池、１０９  スピーカ、１１１  音声受信部、１００３  復調部、１００４  多重分離部、１００９  音声デコード部、１０１０  音声増幅部。
【図１】
2019125977.tif 000003
【図２】
2019125977.tif 000004
【図３】
2019125977.tif 000005
【図４】
2019125977.tif 000006
【図５】
2019125977.tif 000007
【図６】
2019125977.tif 000008
【図７】
2019125977.tif 000009
【図８】
2019125977.tif 000010
【図９】
2019125977.tif 000011
【図１０】
2019125977.tif 000012